(57)【要約】【課題】アップライト型電気掃除機に加わる衝撃の緩和及び衝撃から保護すること。【解決手段】  外郭を成すケースと、ケースの内部に設けられた電動送風機と、電動送風機の吸引力により吸引された塵埃を保持する集塵部を有するハンディ型掃除機と、ハンディ型掃除機を装着することによりアップライト型掃除機として使用可能にする支持体と有し、ケースには、外部から加わる衝撃から保護するための保護手段であると共に、ハンディ型掃除機を使用する際に使用者が握る部位である把持部が設け、支持体にケースを装着することによりアップライト型掃除機として使用可能にした状態において、把持部は、後ろ方向を向いてケースから突出するように電気掃除機を構成すれば良い。【選択図】図２
2012196249.tif 000002
【特許請求の範囲】
【請求項１】
外郭を成すケースと、該ケースの内部に設けられた電動送風機と、該電動送風機の吸引力により吸引された塵埃を保持する集塵部を有するハンディ型掃除機と、
該ハンディ型掃除機を装着することによりアップライト型掃除機として使用可能にする支持体と有し、
前記ケースには、外部から加わる衝撃から保護するための保護手段であると共に、前記ハンディ型掃除機を使用する際に使用者が握る部位である把持部が設けられ、
前記支持体に前記ハンディ型掃除機を装着することによりアップライト型掃除機として使用可能にした状態において、前記把持部は、後ろ方向を向いて前記ケースから突出していることを特徴とする電気掃除機。
【請求項２】
前記ハンディ型掃除機本体を前記支持体に装着した際に、前記把持部が前記支持体の後部より後方に位置することを特徴とする請求項１記載の電気掃除機。
【請求項３】
前記ハンディ型掃除機本体を前記支持体に装着した状態において、前記支持体の横幅は前記ハンディ型掃除機本体の横幅と同一か又は広くしたことを特徴とする請求項１又は２記載のいずれかに記載の電気掃除機。
【発明の詳細な説明】
【技術分野】
【０００１】
本発明は、ハンディ型電気掃除機を支持体に装着することにより、アップライト型電気掃除機としても使用可能な電気掃除機に関する。
【背景技術】
【０００２】
従来から、支持体にハンディ型電気掃除機を装着することにより、アップライト型電気掃除機として使用することができる電気掃除機がある。このような電気掃除機は、吸込口及び集塵室を有し電動送風機を内蔵するハンディ部分であるハンディ型掃除機と、そのハンディ型掃除機が収納される支持体から構成されている。
【０００３】
この支持体は、一端には吸込口が形成された床ノズルを有し、他端には把時部を有すると共に、ハンディ型掃除機を収納する収容部を有する。そして、ハンディ型掃除機を収納部に収納した状態において、床ノズルからハンディ型掃除機の吸込口を介して、集塵室に連通されるように構成されている。
そして、支持体の収納部にハンディ型掃除機を収納した状態、或いは、ハンディ型掃除機単体にて使用した際には、吸込んだ塵埃を集塵室内に溜めるように構成されている。
【０００４】
この支持体とハンディ型掃除機が分離可能な電気掃除機は、ハンディ型掃除機を支持体の収納部に収納した状態で支持体の把時部を把持し、アップライト型掃除機として使用して床ノズルから塵埃を吸込むように使用したり、或いは、ハンディ型掃除機として単独で使用したりできる構成となっている。
【０００５】
そして、アップライト型掃除機として使用する場合、例えば、テーブル等のある下の床に床ノズルを差込み掃除すると、掃除機の前部分がテーブル等に衝突した場合、この衝撃でハンディ型掃除機と支持体との位置関係のズレが生じ通気漏れが発生したり、ハンディ型掃除機が支持体から脱落してしまったり、また、衝突時の衝撃により集塵室等に亀裂が生じ通気漏れ発生の虞があった。
【０００６】
更に、この様なタイプの電気掃除機は、後方に傾けて使用する際、床面に沿って前方に押し出すばかりでなく、床面に沿って後方に引寄せて用いる場合もあり、電気掃除機の後方を障害物に衝突させてしまう虞がある。
そして、この衝撃で把持部から手が離れ、アップライト型掃除機を床面に落としてしまう虞があり、このような衝突や落下による衝撃によって、ハンディ型掃除機と支持体の位置関係がずれて通気漏れが発生したり、ハンディ型掃除機が支持体から脱落したり、集塵室や電動送風機が損傷したりする虞がある。
【０００７】
一方、ハンディ型掃除機の単独で使用してテーブル等の天板上に沿って電気掃除機を移動させた掃除をしようとして天板上に置かれた花瓶等の置物に掃除機が衝突してしまい、この衝撃によって、集塵室や電動送風機が損傷する虞もあった。
【０００８】
以上のような衝撃による問題点の解決するものとして、この衝撃に対する保護手段を電気掃除機の前後に設ける必要がある。
例えば、従来例として、ハンディ型掃除機の前部に保護手段を設け、収納部を支持体の後側に現れるように設け、収納部を保護手段が後向きなるようにハンディ型掃除機を収納可能に構成し、保護手段を前記ハンディ型掃除機の前部の長さ方向に設け、収納部が、ハンディ型掃除機を収納した際、保護手段の長さ方向が支持体の長さ方向に沿うようにも構成し、ハンディ型掃除機の吸込口から吸気路を介し前記集塵室へ連通しており、吸気路をほぼ直線状のパイプ状部により形成し、このパイプ状部をハンディ型掃除機の前部に設けると共に、パイプ状部の周囲に保護手段を設けたものがある（例えば、特許文献１）。
【先行技術文献】
【特許文献】
【０００９】
【特許文献１】特開２００８−２０６６１３号公報
【発明の概要】
【発明が解決しようとする課題】
【００１０】
しかしながら、従来技術の構成では、保護手段である支持体はパイプ形状であり、電気掃除機本体の幅に対して幅が狭い。従って、支持体と障害物とがずれて衝突した場合、障害物がハンディ掃除機の本体に接触してしまい、本体に衝撃が伝わってしまう、という課題があった。
【００１１】
そこで本発明は、上記の課題を解決するためのものであり、アップライト型掃除機とハンディ型掃除機を兼用する電気掃除機において、本体が障害物に衝突した場合の衝撃の緩和及び衝撃から保護することを目的とする。
【課題を解決するための手段】
【００１２】
上記の課題を解決する為には、外郭を成すケースと、該ケースの内部に設けられた電動送風機と、該電動送風機の吸引力により吸引された塵埃を保持する集塵部を有するハンディ型掃除機と、該ハンディ型掃除機を装着することによりアップライト型掃除機として使用可能にする支持体と有し、前記ケースには、外部から加わる衝撃から保護するための保護手段であると共に、ハンディ型掃除機を使用する際に使用者が握る部位である把持部が設けられ、前記支持体に前記ハンディ型掃除機を装着することによりアップライト型掃除機として使用可能にした状態において、前記把持部は、後ろ方向を向いて前記ケースから突出するように電気掃除機を構成すれば良い。
【発明の効果】
【００１３】
本発明によれば、支持体よりハンディ部分を取外しハンディ型掃除機として使用する場合は、掃除機を進める進行方向にある障害物と衝突した場合にも電動送風機が内蔵され重量の重い本体より突出した保護手段である第１把持部が先に衝突し保護ができる。
また、支持体にハンディ型掃除機本体を収納し、アップライト型掃除機として使用する場合は、進行方向にある障害物と衝突した際、支持体によりハンディ型掃除機本体を保護することができ、後方にある障害物と衝突した際には後向きの保護手段である第１把持部により、本体を保護することができる。
【図面の簡単な説明】
【００１４】
【図１】本発明の実施形態を示すハンディ型掃除機本体の使用時の側面図
【図２】本発明の実施形態を示すハンディ型掃除機本体を支持体に取付けた状態の直立時の側面図
【図３】本発明の実施形態を示すハンディ型掃除機本体を支持体から外した時の側面図
【図４】本発明の実施形態を示すハンディ型掃除機本体を支持体に取付けた状態の直立時の背面図
【図５】本発明の実施形態を示すハンディ型掃除機本体を支持体に取付けた状態の直立時の背面図
【図６】本発明の実施形態を示すハンディ型掃除機本体を支持体に取付けた状態の直立時の斜視図
【図７】本発明の実施形態を示すハンディ型掃除機本体を支持体に取付けた状態の直立時の正面図
【図８】本発明の実施形態を示す床ノズル部の底面図
【図９】本発明の実施形態を示すハンディ型掃除機本体の前側ケースの斜視図
【図１０】本発明の実施形態を示す支持本体後面部の斜視図
【図１１】本発明の実施形態を示すハンディ型掃除機本体を支持体に取付けた状態の直立時の支持体の載置受け部の側面断面図
【発明を実施するための形態】
【００１５】
以下、図１〜図１１を参照して本発明の実施の形態について説明する。
アップライト型掃除機２５とハンディ型掃除機を兼用する本発明の電気掃除機は、ハンディ部であるハンディ型掃除機本体１と、このハンディ型掃除機本体１を着脱可能に収納する収納部２が形成された。
図１に示すように、ハンディ型掃除機本体１のケース２６は、第１のケース２６ａと第２のケース２６ｂが前後に合わさることにより形成されている。そして、ハンディ型掃除機本体１の外郭の下端を成す第２のケース２６ｂには、塵埃を内部に取り込む開口である第１吸込口４が形成される。
【００１６】
また、このハンディ型掃除機本体１の内部には、第１吸込口４に接続される第１通気路５と、この第１通気路５に接続される集塵室６が形成され、更に、塵埃を吸引する吸引力を生じさせる電動送風機７が設けえられている。
この集塵室６は、電動送風機７を介してハンディ型掃除機本体１の外部に吸引した空気を排出する排気路（図示せず）に接続されている。つまり、第１吸込口４から排気路に掛けて、塵埃を吸引するための風路が形成されている。
尚、集塵室６には、吸引した塵埃を濾過するフィルター（図示せず）が着脱自在に設けられている。
【００１７】
次に、ハンディ型掃除機本体１の外郭を成すケース２６には、このケース２６の面から外方向へ突出した形状の使用者が握る握り部２４が形成された第１把持部８が設けられている。
この第１把持部８は、第１のケース２６ａと一体に形成されており、一端を第１のケース２６ａ中ほどの位置に接続し、他端を第１のケース２６ａの上部と接続することで、リング形状を成しており、ハンディ型掃除機本体１のケース２６の面から外方向へ突出する部位に、握り部２４が形成されている。
【００１８】
つまり、図１を参照すると、第１把持部８の外面８ａは、ケース２６（第１のケース２６ａ）の面より所定の量（Δｄ）だけ突出した位置となっている。
尚、ハンディ型掃除機本体１に対する第１把持部８の突出する方向は、ハンディ型掃除機として掃除に用いる場合において、掃除をする際の通常の掃除機の進行方向Ｒ１に向いて突出している。
【００１９】
また、図９を参照すると、握り部２４は、第１のケース２６ａとの接続位置まで断面形状が略Ｕ字形状に形成されており、その略Ｕ字形状底面の中心部から突出する補強用リブ２７を配している。
つまり、第１把持部８を形成する外郭や補強用リブ２７の突出方向は、ハンディ型掃除機本体１の前後方向と同一方向となっている。
更に、図５を参照すると、第１のケース２６ａには、電動送風機７を操作するスイッチ９と、ハンディ型掃除機本体１を支持体３に収納した場合にハンディ型掃除機本体１と支持体３との連結を保持する連結保持手段１０が設けられている。
【００２０】
次に、図３を参照すると、ハンディ型掃除機本体１を装着してアップライト型掃除機２５として用いるための支持体３は、後方に向いて開口する側面形状が略Ｌ字形状の支持本体１１と、この支持本体の下部に設けられる床ノズル１７からなる。
この支持本体１１は、前面部１１Ａと、ハンディ型掃除機本体１を収納した際に、このハンディ型掃除機本体１と対面する後面部１１Ｂを有する。この前面部１１Ａは、前方に突出（湾曲）する平面断面形状が略円弧形状に構成されている。
また、支持本体１１の上端部には、アップライト型掃除機２５として使用する際の伸縮自在の第二把持部１２を設けられており、この第二把持部１２の上下には、電源供給をする電源コード（図示せず）を巻き付け保管可能としたフック１３が設けられている。
【００２１】
また、図１０を参照すると、支持本体１１の後面部１１Ｂの下部には、ハンディ型掃除機本体１を載置する載置受け部１４が形成されている。
この載置受け部１４は、ハンディ型掃除機本体１が載置された際、第１吸込口４が挿入される接続口２０が形成されており、ハンディ型掃除機本体１との対向面側は、ハンディ型掃除機本体１の載置面側の形状に略近似的になるよう凹面状となっている。
更に、この載置受け部１４には、ハンディ型掃除機本体１の載置面を支持する複数の支持リブ２８が、同心円状に突出して設けられているので、ハンディ型掃除機本体１の載置面側をほぼ全体に支持することができる。
【００２２】
更に、図１１を参照すると、載置受け部１４に形成された接続口２０の第１通気路５側には、シール部材１５とそれを保持するシール部材保持手段２９が設けられている。
このシール部材１５のシール面３０は、載置受け部１４の表面上より突出し、ハンディ型掃除機本体１が支持体３へ収納する際に、第１吸込口４部と接触して通気の漏れを防止する構造となっている。
【００２３】
尚、載置受け部１４にハンディ型掃除機本体１が装着された状態において、第１把持部８の外側の端の位置は、アップライト型掃除機２５の載置受け部１４の下方部位の後方端部１１Ｃより奥行き分（ΔＤ）後方へ位置している（図２参照）。
つまり、ハンディ型掃除機本体１を支持体に取り付けてアップライト型掃除機として用いる場合、第１把持部８は載置受け部１４の下方部位の後方端部１１Ｃより、掃除をする際の通常の掃除機の進行方向Ｒ２とは逆の方向にΔＤ分、突出している。
【００２４】
また、図５を参照すると、支持本体１１の横幅Ｗ１は、ハンディ型掃除機本体１の横幅Ｗ２より大きく形成されており、正面視からの場合にハンディ型掃除機本体が隠れるように構成されている。
従って、支持体３の収納部２にハンディ型掃除機本体１を収納した状態では、側面視で支持体３の後側端部１１Ｃに対し、第１把持部８の方が後方に位置し、連結保持手段１０にて支持体３を保持するように構成されている（図２参照）。
【００２５】
次に、図２，図６，図８を参照すると、支持本体１１の下端部には、床上の塵埃を吸込むための床ノズル１７が設けられている。
この床ノズル１７は、平面視形状が略Ｔ字形となっており、箱状のブラシケース１９の下面前部には左右方向に開口された第２吸込口１６が形成されている。
また、床ノズル１７と支持本体１１とは自在継ぎ手１８を介して回動自在に接続され、第２吸込口１６から第２通気路２１、自在継ぎ手１８を経て接続口２０まで連通されている。
また、第２吸込口１６の前方かつ各端部に前車輪２２が形成され、ブラシケース１９の後部左右側面から突出して後車輪２３が形成されており、アップライト型掃除機２５として床面掃除に使用の際の移動を円滑にしている。
【００２６】
以上のように構成したアップライト掃除機２５を用いて、机等の天板上等の被清掃面を掃除する場合、つまり、ハンディ型掃除機として使用する場合を説明する。
まず、支持体３からハンディ型掃除機本体１を分離して、第１把持部８の握り部２４を握ることでハンディ型掃除機本体１を持ち、スイッチ９を操作することで電源コード（図示せず）から通電されて電動送風機７が作動する。
そして、電動送風機７が動作することで、ハンディ型掃除機本体１の内部へ吸引される吸引力が生じ、吸引された気流が、第１吸込口４から第１通気路を通り、集塵室６及び電動送風機７を通り、排気路（図示せず）を経て排出されるよう流れる。
【００２７】
このように電動送風機７が作動中において、第１吸込口４を被清掃面に接触或いは少し浮かして、清掃面に沿って動かすようにハンディ型掃除機本体１を移動させることで、塵埃を含む気流が第１通気路５を経て前記集塵室６に流入し、塵埃のみフィルター（図示せず）により捕集され、塵埃が取り除かれた気流が前記電動送風機７を通過し、排気路（図示せず）を経て排出される。
【００２８】
このように、ハンディ型掃除機本体１として使用して、机等の天板上等の被清掃面を掃除する場合、被清掃面上に置かれている障害物（たとえば本棚等）に、ハンディ型掃除機本体１が衝突する虞がある（図１参照）。
特に、ハンディ型掃除機本体１が本棚等障害物に衝突する場合、清掃面に沿って第１吸込口４を動かすので視線は第１吸込口４付近に向けるため、手で握る第１把持部８付近は視線が向かないので、衝突を起こし易くなる。
【００２９】
この様な状況において本実施の形態の電気掃除機は、第１把持部８は、ハンディ型掃除機本体１の第１のケース２６に対して一体に接続され、第１のケース２６の前方方向へ向け突き出すように形成されている。つまり、ケース２６の面より所定の量（Δｄ）だけ突出して第１把持部８が形成されている（図１参照）。
従って、このようにハンディ型掃除機本体１は構成されているので、ハンディ型掃除機として使用する際の前方からの接触による衝撃は、第１把持部８が受ける構造となっている。つまり、第１の把持部８が衝突による衝撃に対する保護手段となっている。
【００３０】
これにより、第１把持部８の最外部と掃除機本体ケース２６との間に距離（Δｄ）があることから、直接ケース２６が衝撃を受けることなく、また、第１把持部８が接触した場合でも、ケース２６が受ける衝撃が緩和され、集塵室６や電動送風機７への衝撃に伴う故障を減少させることができる。
更に、第１把持部８の中央部に長手方向に沿って補強用リブ２７も形成しているため、第１把持部８の剛性がより強固であり、衝突による衝撃に耐えることができる。
【００３１】
次に、アップライト掃除機２５を用いて、机など障害物の下の床面等の清掃面を掃除する場合を説明する。机等の下の床面を等の被清掃面を掃除するには、支持体３にハンディ型掃除機本体１を収納した状態でアップライト型掃除機２５として使用する。
まず、支持体３の収納部２に、ハンディ型掃除機本体１を載置する載置受け部１４に配置された接続口２０とハンディ型掃除機１の第１吸込口４を接続する。
【００３２】
これにより、接続口２０の開口周囲に設けられたシール部材１５を前記ハンディ型掃除機本体１の重量により押され密着性が向上することでシール性も増すことになる。
また、載置受け部１４は、ハンディ型掃除機本体１の載置面側形状と略近似凹形状となっているので、ハンディ型掃除機本体１が載置された際、案内となり位置ずれを押えることができ、ハンディ型掃除機１の連結保持手段１０で保持することにより、確実な固定ができる。
【００３３】
そして、使用者は、支持本体１１上端に設けた第２把持部１２を持ち、支持本体１１の下端部に自在継ぎ手１８を介した床ノズル１７を被清掃面上に置き、スイッチ９を操作することで電源コード(図示せず）から通電されて電動送風機７が作動する。
そして、第二吸込口１６から第二通気路２１を介して接続口２０を経て、ハンディ型掃除機本体１の第１吸込口４へ接続され、前記第１通気路５を介し、集塵室６及び電動送風機７を通り、排気路(図示せず）を経て排出されるように気流が流れる。
【００３４】
このように電動送風機７作動中に、床ノズル１７を清掃面に沿って動かすように支持体３を移動させることで、塵埃を含む気流が第二吸込口１６から吸引され、集塵室６まで流入し、塵埃のみフィルター（図示せず）により捕集され、塵埃が取り除かれた気流が電動送風機７を通過し、排気路（図示せず）を経て外部へ排出される。
【００３５】
このように、支持体３に前記ハンディ型掃除機本体１を収納した状態でアップライト型掃除機２５として使用して、机等の下の床面等の清掃面を掃除する場合、清掃面上に置かれている障害物（例えば机等の天板等）に、アップライト型掃除機２５が衝突する虞がある。
【００３６】
これに対して、本実施の形態のように構成することで、アップライト型掃除機２５として使用する場合、支持体本体１１が衝撃を受けた際に変形することで衝撃を吸収し、ハンディ型掃除機本体への衝撃を緩和することができる。
特に、支持体３を構成する支持本体１１の平面視形状が、略円弧状に形成されているので、いずれの方向からの衝突をして衝撃を受けても、衝撃を支持体本体１１が分散して吸収することができるので、よりハンディ型掃除機本体への衝撃を緩和することができる。
【００３７】
また、支持体３の載置受け部１４は、ハンディ型掃除機本体１の載置側の先端の形状である略球状面に対応し、略近似凹球面形状に形成されている。
これにより、ハンディ型掃除機本体１を載置受け部１４に載置した際、ハンディ型掃除機本体１の載置側の先端部は前記載置受け部１４の略近似凹球面の端部の位置より入り込むことが可能な構成となっている。
【００３８】
また、ハンディ型掃除機本体１の第１把持部８端部側は、連結保持手段１０により、支持体３の載置受け部１４へハンディ型掃除機本体１が収納された際に、保持可能に構成されている。
これにより、支持体３に対し、連結保持手段１０による保持と、支持体３の載置受け部１４に配置された接続口２０とハンディ型掃除機１の第１吸込口４の接続による保持により、ハンディ型掃除機本体１の上下両端が固定できるため、衝撃によるハンディ型掃除機１と支持体３とののずれを抑制することができる。
【００３９】
更に、第１吸込口４と接続口２０との接続部に設けた前記シール部材１５により、通気漏れも防止できる。
また、図５を参照すると、清掃面上の障害物とアップライト型掃除機２５と衝突の位置にずれが生じた場合でも、支持体３の横幅Ｗ１がハンディ型掃除機本体１の横幅Ｗ２より大きく形成してあるので、障害物などがハンディ型掃除機本体１へ直接衝突することを防止することができる。
【００４０】
また、アップライト型掃除機２５としての使用で、清掃面中に掃除機２５を後方へ引寄せる場合、掃除機２５の後方側、つまり、ハンディ型掃除機本体１が搭載されている側を衝突させる虞がある。
また、衝突の衝撃や何らかの理由で、アップライト型掃除機２５が後方に倒れた場合、アップライト型掃除機２５の後方が被清掃面に衝突してしまう虞がある。
【００４１】
これに対して本実施の形態は、図２を参照すると、第１把持部８の外側の端の位置は、アップライト型掃除機２５の載置受け部１４の下方部位の後方端部１１Ｃより奥行き分（ΔＤ）後方へ位置している。
このように構成されているので、アップライト型掃除機２５として使用する際に、掃除機を後方の障害物に接触させてリ、後方に倒してしまっても、障害物や清掃面に第１把持部８が衝突することになる。
【００４２】
従って、第１把持部８はハンディ型掃除機本体１の第１のケース２６に一体に接続されており、第１のケース２６から突き出すように形成されていることから、第１把持部８の突出方向からの衝撃を受けることになる。
つまり、第１把持部８と掃除機本体との距離があるので、衝撃が緩和され、集塵室６や電動送風機７への衝撃に伴う故障を減少させることができる。
【００４３】
また、第１把持部８は、中央部に長手方向に沿って補強用リブ２７も形成しているため剛性がより強固となり、衝撃に耐えうることができる。
更に、ハンディ型掃除機本体１の第１把持部８を上記のように衝撃に対する保護手段として兼用したことにより、保護のための部品を新たに追加する必要がなく対衝撃保護機能を達成することができる。
【００４４】
以上のように、本実施の形態の電気掃除機は、ハンディ型掃除機本体１のみを用いてハンディ型掃除機として用いる場合であっても、このハンディ型掃除機１を支持体３に取り付けてアップライト型掃除機として用いる場合であっても、同一の部材である第１の把持部８により、障害物との衝突などにより受ける衝撃を低減することができる。
つまり、ハンディ型掃除機本体１として用いる場合は、掃除の進行方向に対して前方からの衝撃、アップライト型掃除機本体として用いる場合は、掃除の進行方向に対して後方からの衝撃を低減することができる。
また、アップライト型掃除機として用いる場合、略円弧状に形成された支持体本体１１によって、掃除の進行方向前方、又は、左右方向からの衝撃を緩和することができる。
【符号の説明】
【００４５】
１  ハンディ型掃除機本体、  ２  収納部、  ３  支持体、  ４  第１吸込口、
５  第１通気路、  ６  集塵室、  ７  電動送風機、  ８  第１把持部、８Ａ  保護手段
１１  支持本体、  １２  第二把持部、  １４  載置受け部、  １５  シール部材、
１６  第二吸込口、  １７  床ノズル、  ２０  接続口、  ２２  握り部、
２５  アップライト型掃除機
【図１】
2012196249.tif 000003
【図２】
2012196249.tif 000004
【図３】
2012196249.tif 000005
【図４】
2012196249.tif 000006
【図５】
2012196249.tif 000007
【図６】
2012196249.tif 000008
【図７】
2012196249.tif 000009
【図８】
2012196249.tif 000010
【図９】
2012196249.tif 000011
【図１０】
2012196249.tif 000012
【図１１】
2012196249.tif 000013